【手続補正書】
【提出日】平成16年11月29日(2004.11.29)
【手続補正１】
【補正対象書類名】明細書
【補正対象項目名】全文
【補正方法】変更
【補正の内容】
【書類名】        明細書
【発明の名称】    マッサージ機
【特許請求の範囲】
【請求項１】  給排気装置による空気の給排によって膨張および収縮される複数の空気袋で出没駆動する各施療子を背凭れ部内両側で昇降動自在に配設したマッサージ機において、該マッサージ機の各空気袋と給排気装置との間に分配器を介設し、各施療子を個々対応する空気袋で膨縮させるよう構成した事を特徴とするマッサージ機。
【請求項２】  前記給排気装置に接続される分配器に、各空気袋への給排気分配を制御する制御装置を設け、各空気袋を個々単独或いは順次連続的に膨縮させるよう構成した事を特徴とする請求項１記載のマッサージ機。
【請求項３】  前記各施療子と各施療子に対応する空気袋間に、突出した施療子を瞬時に元位置復帰させる復元部材を設けた事を特徴とする請求項１又は請求項２記載のマッサージ機。
【発明の詳細な説明】
【０００１】
【産業上の利用分野】
本発明は、施療部位に対して反復押圧作用を行なわせる指圧マッサージ機に係り、詳しくは、複数の施療子を横一列に配備させて各々の各施療子が個別に押圧できるようにしたマッサージ機に関するものである。
【０００２】
【従来の技術】
従来から、マッサージ機としては使用者の身体に揉み施療や叩き施療及びローリング施療或いは指圧施療といった各施療を行なわせるものが知られている。
【０００３】
中でも指圧を行なうマッサージ機としては、例えば特開昭５７−６６５５号公報に開示されているように、複数の指圧体を装備した押し上げ板を空気袋に作用させ、空気袋を膨張および収縮して押し上げ板を上下作動させることにより、これに支持した複数の指圧体を同時に出没させるようにしたものがある。
【０００４】
しかし、この種のマッサージ機においては、指圧効果の高いマッサージを行えるが、複数の指圧体が共通の押し上げ板に装備されて一体に出没する構造である為に、各指圧体を身体の横方向の凹凸に沿わせるには、押し上げ板全体が傾斜してしまい、各指圧体の作動が互いに影響し合って、身体の凹凸に適格に各指圧体を沿わせる事ができず、よって、各指圧体の向きが変化して身体に働く押圧力が不均衡になるきらいがあった。
【０００５】
そこで、本願出願人は、これらの問題を解決すべく特開２０００−５１３０２号のようなマッサージ機を既に開発している。すなわち、このマッサージ機は、図７に示したように、空気の給排によって膨張および収縮される空気袋７で施療子３を出没駆動するよう構成したマッサージ機において、複数の施療子３を共通の空気袋７に作用させるとともに、この空気袋７に作用する各施療子３が独立的に出没作動するようにしたマッサージ機を開発し、既に出願している。
【０００６】
【発明が解決しようとする課題】
しかしながら、上記のマッサージ機においては、複数の施療子３は身体の凹凸に沿って独立して出没し、加えられる空気圧の変動に応じた空気袋７の膨張および収縮によって、各施療子３が所定の姿勢を維持した状態で身体の各部を均等に加圧して指圧施療する事ができるのであるが、空気袋７の膨張および収縮によって各施療子３が独立していっせいに出没するものである為に、特定のつぼを順次押圧すべく個々の施療子を順次出没させる事はできないものであった。
【０００７】
本発明は、上記問題点に鑑みて成されたものであり、個々単独に出没可能な施療子の複数を背凭れ部内両側で昇降動自在に配設しており、施療者が所望の施療部位の施療子を任意に選択できる幅調整可能で昇降調整可能なマッサージ機を提供する事を目的とする。
【０００８】
また、本発明のマッサージ機は、施療者の肩位置から腰位置に亘る高さ方向及び／又は幅方向に、個々単独に出没可能な複数の施療子が、施療者のつぼに応じて単独或いは連続的に膨縮させる制御をしながら押圧施療を行なわせる事ができるようにしたマッサージ機を提供する事を目的とする。
【０００９】
【課題を解決するための手段】
本発明のマッサージ機は、上記目的を達成すべく以下のように構成するものである。
すなわち、本発明のマッサージ機は、給排気装置による空気の給排によって膨張および収縮される複数の空気袋で出没駆動する各施療子を背凭れ部内両側で昇降動自在に配設したマッサージ機において、該マッサージ機の各空気袋と給排気装置との間に分配器を介設し、各施療子を個々対応する空気袋で膨縮させるよう構成したものである。
【００１０】
また本発明のマッサージ機は、前記給排気装置に接続される分配器に、各空気袋への給排気分配を制御する制御装置を設け、各空気袋を個々単独或いは順次連続的に膨縮させるよう構成した事を特徴とするものである。
【００１１】
更に、本発明のマッサージ機は、前記各施療子と各施療子に対応する空気袋間に、突出した施療子を瞬時に元位置復帰させる復元部材を設けた事を特徴とするものである。
【００１２】
本発明のマッサージ機は、以上のように構成する事で以下に示すような作用をもたらすものである。
すなわち、本発明のマッサージ機は、給排気装置と各空気袋間に分配器を介設し、各施療子を個々対応する空気袋で膨縮させるようにしている為、施療者の要望に応じて背凭れ部内両側の各々の施療子を個々単独に出没させる事ができる。
【００１３】
また、本発明のマッサージ機は、前記給排気装置に接続される分配器に、各空気袋への給排気分配を制御する制御装置を設けている為、各空気袋を個々単独或いは順次連続的に膨縮させる事ができ、幅方向及び高さ方向の施療者の要望に応じて背凭れ部内両側の施療子を個々単独或いは順次連続的に出没させる事ができる。
【００１４】
更に、本発明のマッサージ機は、前記各施療子と各施療子に対応する空気袋間に、突出した施療子を瞬時に元位置復帰させる復元部材を設けている為、施療子の単独出没においても施療子の連続出没においても施療子を瞬時に元位置に復帰させる事ができ、スムース且つ良好な施療感を付与し得る押圧施療を行なわせる事ができる。
【００１５】
【発明の実施の形態】
以下、本発明のマッサージ機を、図面に示す一実施形態に基づいてこれを詳細に説明する。
図１は、本発明のマッサージ機の一実施形態を示す説明図であり、図２は本発明のマッサージ機における内部機構の一実施形態を示す説明図であり、図３乃至図５は本発明のマッサージ機における内部機構の作動例を示す説明図であり、図６は本発明のマッサージ機における施療子位置の移動範囲を示す説明図であり、図７は従来のマッサージ機の内部機構を示す説明図である。
【００１６】
すなわち本発明のマッサージ機は、図１の実施形態では、座部３前方で足載台４を出没可能に設け、座部３後部で背凭れ部２を起伏自在に配設した椅子１において、該椅子１の背凭れ部２両側に、給排気装置２１による空気の給排によって膨縮する複数の空気袋２３と各空気袋２３・・の膨縮に連動して出没する施療子２４・・とを昇降機構５により一体的に昇降動自在に配設すると共に、各空気袋２３・・と給排気装置２１との間に分配器２２を介設して、選択指定された各空気袋２３・２３の膨縮により給排ホース２５を介してこれに対応する各施療子２４・２４が個々に出没するようにしたものを例示している。
【００１７】
前記給排気装置２１は、図３乃至図５に示したように、エアーコンプレッサー或いはエアーポンプなど空気供給源からなり、該空気供給源から圧縮空気を前記各空気袋２３・・に分配する弁を備えた分配器２２に給排し、該分配器２２で分配された空気は各連通ホース２５を介して所定の空気袋２３に送給される。
【００１８】
また、図示していないが前記給排気装置２１から各空気袋２３・・に空気を給排分配する給排気制御は、前記分配器２２にマイコン等の制御機構を具備させる事により制御する事ができるようにしている。
【００１９】
前記昇降機構５は、前記給排気装置２１や分配器２２及び各空気袋２３・・と施療子２４・・を一体的に昇降動させるようにする為のものであり、例えば図１に示す実施形態では、前記背凭れ部２内両側に配設された一対のガイドレール（図示せず）と、両ガイドレール中央に正逆回転自在に立設された昇降用螺子軸５１と、前記給排気装置２１や分配器２２及び各空気袋２３・・と施療子２４・・に一体的に設けられてこの昇降用螺子軸５１に外嵌着し得る螺合部材５２とで構成したものを例示している。
【００２０】
また、前記給排気装置２１から給排される空気を、分配器２２を介して各空気袋２３・・に送排出して任意の各施療子２４を出没させる為には、空気袋２３の膨縮のみによっても行なえるのであるが、実施形態では、図３乃至図５に示したように、施療子２４の形状を施療者と当接する冠状の指圧頭とこれを支持する保持棒を一体的に接続した茸状に形成し、空気袋２３と該茸状施療子２４の保持棒間にスプリング２６等の復元部材を外装して、空気袋２３が膨張する事で施療子２４が突出し、空気袋の収縮に伴ってスプリング２６等の復元部材の復元力が作用し、突出した施療子を元位置に復帰させるような構造にしたものを例示している。
【００２１】
従って、上記した本発明のマッサージ機を使用する事によって、給排気装置２１と各空気袋間２３・・に分配器２２を介設し、各施療子２４・・を個々対応する空気袋２３・・で膨縮させる事ができる為、施療者の肩幅や背幅及び腰幅の凹凸に適した施療子２４を個々単独に出没させる事ができ、身体の凹凸に適格に沿わせた均衡な圧力による指圧が可能となる。
【００２２】
また、上記した本発明のマッサージ機には、給排気装置２１に制御機構を設けて各空気袋２３・・を個々単独のみならず順次連続的に膨縮させる事ができるようにしている為、施療者の施療者の肩幅や背幅及び腰幅の凹凸のみならず所望のつぼに応じた施療子２４・・を個々単独及び順次連続的に出没させる事ができ、施療者の要望に適応できる施療位置での均衡な圧力による指圧が可能となる。
【００２３】
更に、本発明のマッサーッジ機は、各施療子２４・・を背凭れ部２内両側で昇降動自在に構成したものである為に、前記のような施療者の肩幅や背幅及び腰幅の凹凸に適した施療子２４の個々単独出没や、所望のつぼに応じた施療子２４の個々単独出没及び連続出没を、施療者の肩位置から腰位置に亘る範囲を部分的或いは全面を連続的に行なわせる事ができる。
【００２４】
【発明の効果】
よって、本発明のマッサージ機は、施療子が共有化された空気袋の膨縮動作によって出没動作を行なうようにした従来のものとは異なり、個々単独に出没させて幅調整可能にした施療子の複数を背凭れ部内両側で昇降動自在に配設している為、施療者が所望の施療部位の施療子を任意に選択して、適格マッサージ効果を得る事ができる。
【００２５】
また、本発明のマッサージ機は、個々単独に出没させて幅調整可能にした施療子の複数を背凭れ部内両側左右で順次連続した押圧施療を行なわせる事ができると共に昇降動自在に配設している為、施療者により満足できるマッサージ効果を付与する事ができる。
【図面の簡単な説明】
【図１】
本発明のマッサージ機の一実施形態を示す説明図である。
【図２】
本発明のマッサージ機における内部機構の一実施形態を示す説明図である。
【図３】
本発明のマッサージ機における内部機構の作動例を示す説明図である。
【図４】
本発明のマッサージ機における内部機構の作動例を示す説明図である。
【図５】
本発明のマッサージ機における内部機構の作動例を示す説明図である。
【図６】
本発明のマッサージ機における施療子位置の移動範囲を示す説明図である。
【図７】
従来のマッサージ機の内部機構を示す説明図である。
【符号の説明】
２    背凭れ部
２１    給排気装置
２２    分配器
２３    空気袋
２４    施療子
２６    スプリング（復元部材）
５    昇降機構